(57)【要約】【課題】回転体に巻き付いた廃棄物を簡単に除去して良好に廃棄物処理を行うことができる廃棄物供給装置を提供する。【解決手段】その軸線Ｃ４回りに一方向に回転Ｘして廃棄物を処理するための回転体１１を備える廃棄物供給装置１において、前記回転体１１は、定期的に、前記軸線Ｃ４回りで前記一方向の回転Ｘとは逆方向に回転Ｙするように構成されていることを特徴とする。【選択図】図１
2008241221.tif 000002
【特許請求の範囲】
【請求項１】
その軸線回りに一方向に回転して廃棄物を処理するための回転体を備える廃棄物供給装置において、前記回転体は、定期的に、前記軸線回りで前記一方向の回転とは逆方向に回転するように構成されていることを特徴とする廃棄物供給装置。
【請求項２】
前記回転体の前記逆方向への回転の回転速度は、前記一方向への回転の回転速度に等しい回転速度であることを特徴とする請求項１に記載の廃棄物供給装置。
【請求項３】
前記回転体の前記逆方向への回転の回転速度は、前記一方向への回転の回転速度と異なった回転速度であることを特徴とする請求項１に記載の廃棄物供給装置。
【請求項４】
前記回転体は、廃棄物を解砕するための解砕機であり、該解砕機にて解砕した廃棄物を、廃棄物を焼却するための焼却炉へ供給するように構成されていることを特徴とする請求項１乃至３の何れかに記載の廃棄物供給装置。
【請求項５】
前記焼却炉は、供給された廃棄物をガス化して可燃性ガス及びチャーを生成するガス化炉と、当該可燃ガス及びチャーを燃焼することによりチャー中の灰分を溶融する溶融炉とを備えるガス化溶融炉であることを特徴とする請求項４に記載の廃棄物供給装置。
【発明の詳細な説明】
【技術分野】
【０００１】
本発明は、その軸線回りに一方向に回転して廃棄物を処理するための回転体を備える廃棄物供給装置に関する。
【背景技術】
【０００２】
従来、その軸線回りに一方向に回転して廃棄物を処理するための回転体を備える廃棄物供給装置としては、例えば、その軸線回りに回転するように構成される回転体としての解砕機を備え、該解砕機を介して外部から投入された廃棄物を焼却炉へ供給するための給じん装置が公知である。該給じん装置は、解砕機がその軸線回りに一方向に回転することによって、外部から投入された廃棄物を解砕し（ほぐし）、当該解砕した廃棄物を下流側に設けられる焼却炉へと定量供給することができるものである（下記特許文献１参照）。
【特許文献１】特開２００５−１３１５１１号公報
【発明の開示】
【発明が解決しようとする課題】
【０００３】
ところで、例えば都市ごみなどの廃棄物には、例えばひもや布、針金などのようなものが含まれていることがある。かかるひも等が含まれた廃棄物が上記のような廃棄物供給装置に投入されると、回転体の一方向への回転に巻き込まれて、当該回転体に巻き付いてしまうことがある。
【０００４】
そうすると、当該巻き付いた廃棄物を回転体から除去しなければ、当該廃棄物供給装置による廃棄物の供給量の変動が増幅される。例えば、廃棄物を焼却するための前記焼却炉へ廃棄物を供給する場合に、当該焼却炉内の温度変動が大きくなり、焼却炉へ供給された廃棄物の不完全燃焼、および、不完全燃焼から生じるダイオキシンの生成や一酸化炭素などの有害物質が発生することになる。
【０００５】
更に、前記巻き付きにより回転体に過剰に負荷がかかって廃棄物供給装置が故障し、当該故障によって例えば焼却炉などへの廃棄物の供給が停止した場合には、焼却炉における廃棄物の処理能力が低下することとなる。
【０００６】
しかも、当該巻き付いた廃棄物を回転体から除去するためには、人力による手作業によってしなければならないが、除去のために長時間の作業が必要であり、作業負荷及び連続操業の面で問題があった。
【０００７】
そこで、本発明は、上記実情に鑑みてなされ、回転体に巻き付いた廃棄物を簡単に除去して良好に廃棄物処理を行うことができる廃棄物供給装置を提供することを課題とする。
【課題を解決するための手段】
【０００８】
本発明は、上記課題を解決すべくなされたものであり、本発明に係る廃棄物供給装置は、廃棄物供給装置において、その軸線回りに一方向に回転して廃棄物を処理するための回転体を備え、前記回転体は、定期的に、前記軸線回りで前記一方向の回転とは逆方向に回転するように構成されていることを特徴とする。
【０００９】
該構成の廃棄物供給装置にあっては、回転体が定期的にその軸線回りの回転であって前記一方向の回転とは逆方向に回転するように構成されているので、回転体での処理中に回転体に当該一方向で巻き付いた廃棄物は、回転体の定期的な逆方向への回転によって、その巻き付きが逆方向にほどけて回転体から除去される。
【００１０】
尚、回転体に廃棄物が巻き付いた状態とは、廃棄物が回転体の外周面に少なくとも１周巻いて付着した状態を意味している。また、定期的に逆方向に回転するとは、所定の基準時間から一定時間経過する度に逆方向に回転するということを意味しており、例えば、回転体の一方向への回転開始時間から一定時間経過する度に逆方向に回転する場合や、前回の逆方向への回転が終了した時間から一定時間経過する度に逆方向に回転する場合などが含まれる。尚、一定時間としては、例えば、１０秒、１分、１時間など、或いは１日や１週間などに設定することも可能である。但し、一定時間をあまり長い時間に設定すると、回転体への廃棄物の巻き付きがほどけ難くなるため、１時間や１日程度に設定するのが好ましい。
【００１１】
特に、前記回転体の前記逆方向への回転の回転速度は、前記一方向への回転の回転速度に等しい回転速度であることが好ましく、回転体に過度の負荷をかけることがなく、しかも回転速度の設定が容易になるという利点がある。
【００１２】
また、前記回転体の前記逆方向への回転の回転速度は、前記一方向への回転の回転速度と異なった回転速度であることが好ましく、回転体の逆方向への回転によって、回転体に巻き付いた廃棄物に遠心力が作用するため巻き付きがほどけ易くなる。
【００１３】
更に、前記回転体は、廃棄物を解砕するための解砕機であり、該解砕機にて解砕した廃棄物を、廃棄物を焼却するための焼却炉へ供給するように構成されていることが好ましく、焼却炉への廃棄物供給変動が抑制されて焼却炉内の温度変化を抑制することができるので、焼却炉への供給された廃棄物が完全燃焼され、ダイオキシン類の有害物質の生成を抑え、環境負荷の低減が実現される。
【００１４】
また、前記焼却炉は、供給された廃棄物をガス化して可燃性ガス及びチャーを生成するガス化炉と、当該可燃ガス及びチャーを燃焼することによりチャー中の灰分を溶融する溶融炉とを備えるガス化溶融炉であることが好ましい。
【発明の効果】
【００１５】
このように、本発明にかかる廃棄物供給装置にあっては、回転体が定期的にその軸線回りの回転であって前記一方向の回転とは逆方向に回転するように構成されているので、回転体での処理中に回転体に当該一方向で巻き付いた廃棄物を簡単に除去して良好な廃棄物処理を行うことができるという効果を奏する。
【発明を実施するための最良の形態】
【００１６】
以下、本発明に係る廃棄物供給装置の一実施形態について、図面を参照しつつ詳細に説明する。
図１に、本実施形態における廃棄物供給装置としての給じん装置１が示されている。該給じん装置１は、外部から投入される破砕された廃棄物を、該廃棄物を焼却するための焼却炉（図示しない）へ供給するための装置である。尚、本実施形態における焼却炉は、ガス化炉と溶融炉とを備えるガス化溶融炉である。従って、廃棄物は、破砕処理されて給じん装置１に投入され、該給じん装置１内で分散処理されると共に解砕処理され、ガス化溶融炉へ定量的に供給される。そして、給じん装置１から供給された廃棄物は、ガス化炉にて可燃性ガスとチャーとに分解され、当該可燃性ガスとチャーとが溶融炉に供給されて高温（約１３００℃）で燃焼される。これにより、チャーに含まれる灰分が溶融して溶融スラグが生成される。
【００１７】
かかる給じん装置１は、破砕された廃棄物が外部から投入される分散投入部２と、該分散投入部２から分散投入された廃棄物を搬送する搬送部３と、該搬送部３にて搬送される廃棄物を解砕する解砕部４とを備える。尚、本実施形態では、解砕部４と焼却炉とを連通する通路には、該通路を開閉するための開閉シール（図示しない）が設けられている。
【００１８】
分散投入部２は、破砕された廃棄物が積載される積載部５と、該積載部５の底部開口５１（分散投入口５１）を開閉する分散板６とを備える。積載部５は、上下方向に沿った筒状であり、上方側の頂部開口５２から破砕された廃棄物が投入され、下方側の底部開口５１から廃棄物を分散投入することができるよう構成されている。分散板６は、板状体であり、その断面が横長の矩形状であり、積載部５の底部開口５１を横切るように配置された分散軸線Ｃ１回りに回動可能となっている。尚、本実施形態では、分散軸線Ｃ１は水平方向に沿って形成されている。尚、本実施形態では、分散板６は、その断面形状が略菱形であるが、これに限定されるものではない。
【００１９】
分散板６は、当該分散軸線Ｃ１回りに回動することによって、積載部５の底部開口５１の開き度合いを調整することができる。具体的には、分散板６は、その断面における長辺が水平方向となる姿勢（閉塞姿勢）であると積載部５の底部開口５１は分散板６によって閉塞されており、積載部５に積載されている廃棄物は底部開口５１から下方（搬送部３）へは分散投入されない。そして、分散板６が前記閉塞姿勢から分散軸線Ｃ１回りに回動して前記長辺が水平方向に対して傾いた姿勢となるほど、積載部５の底部開口５１の開き度合いは大きくなり、その開き度合い応じた量の廃棄物が下方（搬送部３）へ分散投入される。
【００２０】
搬送部３は、分散投入部２の下端部に連設されており、分散投入部２より分散投入された廃棄物を搬送方向にならしつつ下流側へ搬送する。搬送部３は、廃棄物を下流側に搬送するための搬送機７と、搬送される廃棄物の搬送量を計測して分散投入量を調整する分散投入量調整部８と、搬送される廃棄物を搬送方向にならす圧密防止部９とを備える。
【００２１】
搬送機７は、その軸線（搬送軸線Ｃ２）回りに回転するスクリューであり、搬送の上流端部となる基端部７１が軸支され、搬送の下流端部となる先端部７２が自由端となっている。搬送機７は、その基端部７１が分散投入部２の下方側に位置するように配置されている。尚、本実施形態では、搬送軸線Ｃ２は水平方向に形成されており、分散軸線Ｃ１に交差する方向に形成されている。また、搬送機７は単数設ける場合であっても並列して複数設ける場合であってもよい。
【００２２】
かかる搬送機７は、その基端部７１側に設けられた搬送駆動部７３によって搬送軸線Ｃ２回りの回転が制御されており、当該回転によって、基端部７１側（上流側）から先端部７２側（下流側）へ向けて廃棄物を搬送する。尚、搬送駆動部７３は、後述するタイマー１５からの信号に基づいて搬送機７の回転を制御する。
【００２３】
分散投入量調整部８は、搬送機７上を搬送される廃棄物の量を計測する計測器８１と、該計測器８１の計測結果に基づいて、分散投入部２からの廃棄物の分散投入量を調整すべく分散板６の回動を制御する制御部８２とを備える。計測器８１は、搬送機７の基端部７１の上方側（分散投入部２の下方側）に配置されており、搬送機７上にて搬送方向にならされて搬送される廃棄物の搬送高さ位置を計測することによって搬送される廃棄物の量を計測するよう構成されている。尚、廃棄物の搬送高さ位置とは、搬送機７上を搬送される廃棄物の上面の搬送機７からの高さ位置をいう。
【００２４】
制御部８２は、計測器８１の計測結果に基づいて、計測された廃棄物の搬送高さ位置が、所定の高さ位置よりも高い位置である場合には搬送される廃棄物の量が多いと判定し、所定の高さ位置よりも低い位置である場合には搬送される廃棄物の量が少ないと判定する判定部８２１と、該判定部８２１での判定結果によって、分散板６の分散軸線Ｃ１回りの回動を調整する分散調整部８２２とを備える。
【００２５】
本実施形態では、制御部８２には、前記所定の高さ位置よりも高い位置に限界高さ位置が設定されており、計測された廃棄物の搬送高さ位置が当該限界高さ位置を超えている場合には、判定部８２１にて搬送される廃棄物の量が限界量であると判定し、該判定結果に基づいて、分散調整部８２２が分散板６を分散軸回りに回動させて分散投入口５１を閉塞して分散投入部２からの廃棄物の分散投入を一時停止させるようになっている。尚、本実施形態において計測部８１は垂直方向に設置しているが、水平方向に設置してもよい。
【００２６】
尚、分散板６が一定時間以上回動しても、判定部８２１にて限界量に達していない場合は、分散投入口５１の開き度合いを大きくして、分散投入部２からの廃棄物の供給量を増量させることができる。
【００２７】
圧密防止部９は、搬送機７の先端部７２（下流端部）の上方に配置されており、搬送機７によって搬送される廃棄物を搬送方向にならすように構成されている。具体的には、圧密防止部９は、搬送方向に揺動する圧密防止機１０を備えている。該圧密防止機１０は、その断面が略扇形状で水平方向に沿った柱体であり、扇形状の中心を通る軸線（圧密軸線Ｃ３）回りに搬送方向に揺動自在に構成されている。尚、圧密軸線Ｃ３は、搬送軸線Ｃ２に交差するように配置されており、本実施形態では、分散軸線Ｃ１と平行になるように配置されている。
【００２８】
解砕部４は、搬送部３の下流側に連設され、図示しない通路を介して焼却炉に連通しており、搬送部３にて搬送される廃棄物を解砕する（ほぐす）ように構成されている。解砕部４は、その軸線（解砕軸線Ｃ４）回りに一方向及び他方向の何れの方向にも回転可能に構成された回転体としての解砕機１１と、該解砕機１１に対し径方向に接離するように構成された流量調整機１２とを備える。
【００２９】
解砕機１１は、図２に示すように、略円柱状のドラム形状であり、その径方向に突設される突設部１１１が周方向に所定間隔を空けて複数配設されて構成されている。具体的には、解砕機１１は、前記複数の突設部１１１をそれぞれ備える第１胴部１１ａと第２胴部１１ｂとが軸線方向に連設されてなり、第１胴部１１ａと第２胴部１１ｂとは、第１胴部１１ａの各突設部１１１間に第２胴部１１ｂの各突設部１１１が位置するように、同軸上で連設されている。即ち、第１胴部１１ａの複数の突設部１１１と第２胴部１１ｂの複数の突設部１１１とは、周方向に位置ずれした配置となっている。また、第１胴部１１ａと第２胴部１１ｂとの境界部、及び、第１胴部１１ａと第２胴部１１ｂとの各々の前記境界部とは反対側の端部には、それぞれ、周方向全周に亘って径方向に延設された鍔状の仕切り部１１２が形成されている。
【００３０】
かかる解砕機１１は、図１に示すように、搬送機７の先端部７２よりも搬送方向下流側に配置されており、しかも、その解砕軸線Ｃ４が搬送軸線Ｃ２よりも下方側になるように配置されてその両端部が軸支されている。
【００３１】
解砕機１１には、その解砕軸線Ｃ４回りの回転を制御する解砕駆動部１３が接続されている。具体的には、解砕駆動部１３は、解砕機１１の解砕軸線Ｃ４回りの正方向（一方向）への回転（正回転Ｘ）と、当該正回転Ｘとは逆方向への回転（逆回転Ｙ）とを切り換えることができるように構成されており、解砕機１１の正回転Ｘを停止させて逆回転Ｙに切り換えたり逆回転Ｙを停止させて正回転Ｘに切り換えたりすることができる。
【００３２】
尚、解砕機１１の正回転Ｘとは、突設部１１１のうち、上方側に位置する突設部１１１が搬送方向上流側に回動し、下方側に位置する突設部１１１が搬送方向下流側に回動する回転である。即ち、解砕機１１の正回転Ｘとは、搬送機７にて搬送される廃棄物を掻き落とすような回転である。一方、解砕機１１の逆回転Ｙとは、上方側に位置する突設部１１１が搬送方向下流側に回動し、下方側に位置する突設部１１１が搬送方向上流側に回動する回転である。即ち、解砕機１１の逆回転Ｙとは、搬送機７にて搬送される廃棄物を掻き上げるような回転である。
【００３３】
また、解砕駆動部１３は、解砕機１１の正回転Ｘの回転速度と逆回転Ｙの回転速度とを制御することができ、本実施形態では、正回転Ｘの回転速度と逆回転Ｙの回転速度とが略等しい回転速度（例えば、３０〜１００ｒｐｍ）となるように制御する。尚、解砕駆動部１３は、後述するタイマー１５からの信号に基づいて解砕機１１の回転及び回転速度を制御する。
【００３４】
流量調整機１２は、解砕機１１の軸線方向の長さに対応した長さを有する板状体であり、解砕機１１よりも搬送方向下流側に配置されている。即ち、流量調整機１２と搬送機７とは、搬送軸線Ｃ２方向に離間して配置されており、当該流量調整機１２と搬送機７との間の領域に解砕機１１が配置されている。
【００３５】
流量調整機１２は、解砕軸線Ｃ４と略平行に配置される流量軸線Ｃ５回りで回動自在となるように、その基端部が軸支されており、当該基端部に接続された流量駆動部１４によって流量軸線Ｃ５回りの回動が制御されている。即ち、流量駆動部１４は、流量調整機１２の流量軸線Ｃ５回りの回動を制御することによって、流量調整機１２と解砕機１１との間の隙間を広くしたり狭くしたりして調整することができるように構成されている。このように、解砕機１１と流量調整機１２との間の隙間の広さを調整することにより、当該隙間に廃棄物が蓄積されないようにすると共に解砕部４から焼却炉へ供給される廃棄物の量を調整することができる。尚、流量軸線Ｃ５は、解砕軸線Ｃ４よりも上方側に配置されている。また、流量駆動部１４は、後述するタイマー１５からの信号に基づいて前記隙間調整を実行する。
【００３６】
また、搬送機７の回転を制御するための搬送駆動部７３と、解砕機１１の回転を制御するための解砕駆動部１３と、流量調整機１２の回動を制御して解砕機１１と流量調整機１２との間の隙間の広さを調整するための流量駆動部１４とは、定期的に信号を送信するタイマー１５に接続されている。
【００３７】
このタイマー１５は、正回転Ｘしている解砕機１１を逆回転Ｙさせるための第１信号を定期的に送信するよう構成されている。具体的には、タイマー１５は、解砕機１１が正回転Ｘを開始してから一定時間経過（例えば、１分経過）すると、解砕駆動部１３に第１信号を送信するように構成されている。本実施形態では、搬送駆動部７３と流量駆動部１４との双方にも第１信号が送信される。尚、タイマー１５は、正回転Ｘしている解砕機１１の前回の逆回転Ｙが終了した後一定時間経過後に、前記第１信号を送信するように構成することもできる。
【００３８】
そして、解砕駆動部１３は、第１信号を受信すると、解砕機１１の正回転Ｘを停止させた後に当該解砕機１１を逆回転Ｙさせる。また、搬送駆動部７３は、第１信号を受信すると、搬送機７の回転を停止させる。即ち、本実施形態においては、搬送機７を停止させた状態で解砕機１１を逆回転Ｙさせている。更に、流量駆動部１４は、第１信号を受信すると、解砕機１１と流量調整機１２との間の隙間が最も狭い隙間になるよう流量調整機１２を回動させる。即ち、本実施形態においては、流量調整機１２を解砕機１１に接近させた状態で解砕機１１を逆回転Ｙさせている。
【００３９】
また、前記タイマー１５は、解砕機１１が所定時間逆回転Ｙすると、当該解砕機１１を正回転Ｘさせるための第２信号を送信するよう構成されている。具体的には、タイマー１５は、解砕機１１の逆回転Ｙが開始してから一定時間経過（例えば、３０秒経過）すると、解砕駆動部１３に第２信号を送信するように構成されている。本実施形態では、搬送駆動部７３と流量駆動部１４との双方にも第２信号が送信される。
【００４０】
そして、解砕駆動部１３は、第２信号を受信すると、解砕機１１の逆回転Ｙを停止させた後に当該解砕機１１を正回転Ｘさせる。また、搬送駆動部７３は、第２信号を受信すると、搬送機７を回転させる。更に、流量駆動部１４は、第２信号を受信すると、解砕機１１と流量調整機１２との間の隙間が所定の隙間となるよう流量調整機１２を回動させる。
【００４１】
続いて、以上のような構成の給じん装置１による焼却炉への廃棄物の供給について説明する。
給じん装置１を作動させると、分散板６が分散投入量調整部８に制御されて積載部５の底部開口５１の開き度合いを調整し、搬送機７が搬送駆動部７３に制御されて回転し、解砕機１１が解砕駆動部１３に制御されて正回転Ｘし、流量調整機１２が流量駆動部１４に制御されて解砕機１１との間の隙間を調整する。
【００４２】
分散投入部２の頂部開口５２から投入されて積載部５内に積載されている廃棄物は、分散板６によってその開き度合いが調節された積載部５の底部開口５１から当該開き度合いに応じた量に分散されて搬送部３内へ投入される。
【００４３】
そして、搬送部３内へ投入された廃棄物は、搬送機７の回転によって下流側へ搬送されながらその途中で圧密防止機１０によって搬送方向にならされて均一化された状態で搬送機７の先端部７２から解砕部４へ落下供給される。
【００４４】
そして、解砕部４へ落下供給された廃棄物は、解砕機１１の正回転Ｘによって解砕されて（ほぐされて）下方側へ送られる。具体的には、廃棄物は、解砕機１１の隣り合う突設部１１１の間の隙間に落下し、突設部１１１によって下方へ掻き落とされるようにして解砕されて下方側へ送られ、焼却炉内へ供給される。
【００４５】
そして、解砕機１１の正回転Ｘが開始してから一定時間が経過すると、タイマー１５は、搬送駆動部７３と解砕駆動部１３と流量駆動部１４とに第１信号を送信する。搬送駆動部７３は、第１信号を受信すると、搬送機７の回転を停止させて廃棄物の下流側への搬送を停止する。そして、流量駆動部１４は、第１信号を受信し搬送機７の回転が停止すると、解砕機１１と流量調整機１２との間の隙間を最も狭い隙間にすべく流量調整機１２を回動させて解砕機１１に接近させる。そして、解砕駆動部１３は、第１信号を受信し搬送機７の回転が停止すると共に解砕機１１と流量調整機１２との間の隙間が最も狭くなると、解砕機１１の正回転Ｘを停止させた後に当該解砕機１１を逆回転Ｙさせる。
【００４６】
その状態、即ち、搬送機７の回転が停止し且つ流量調整機１２が解砕機１１に接近した状態で、解砕機１１が所定時間逆回転Ｙ（例えば、３０秒経過）すると、タイマー１５は、搬送駆動部７３と解砕駆動部１３と流量駆動部１４とに第２信号を送信する。解砕駆動部１３は、第２信号を受信すると、解砕機１１の逆回転Ｙを停止させた後に当該解砕機１１を正回転Ｘさせる。そして、流量駆動部１４は、第２信号を受信し解砕機１１が正回転Ｘすると、解砕部４から焼却炉へ供給される廃棄物の量を所定量とすべく、流量調整機１２を回動させて解砕機１１と流量調整機１２との間の隙間の広さを調整する。そして、搬送駆動部７３は、第２信号を受信し解砕機１１が正回転Ｘすると共に解砕機１１と流量調整機１２との間の隙間が調整されると、搬送機７を回転させて廃棄物の下流側への搬送を再開する。
【００４７】
そして、解砕機１１の正回転Ｘが開始してから一定時間が経過すると、タイマー１５は、搬送駆動部７３と解砕駆動部１３と流量駆動部１４とに第１信号を再び送信し、上記各動作が繰り返される。その結果、解砕機１１は、定期的に、解砕軸線Ｃ４回りで逆回転Ｙすることとなる。
【００４８】
以上のような構成の廃棄物供給装置としての給じん装置１にあっては、一方向に回転している回転体としての正回転Ｘしている解砕機１１が、解砕軸線Ｃ４回りで定期的に逆回転Ｙするように構成されているので、解砕機１１が正回転Ｘして廃棄物を解砕処理しているときに、例えばひもなどの廃棄物が当該解砕機１１の正回転Ｘに巻き込まれて解砕機１１の外周に巻き付いたとしても、解砕機１１の定期的な逆回転Ｙによって、当該巻き付きはほどける。従って、解砕機１１での解砕処理中に解砕機１１に巻き付いた廃棄物を簡単に除去することができる。巻き付いた廃棄物が解砕機１１から除去されることによって、搬送部３から搬送されてきた廃棄物は、かたまりを形成することなく解砕機１１にて確実に解砕されて焼却炉へ供給される。そうすると、焼却炉としてのガス化溶融炉への廃棄物の供給量の変動が抑制されて焼却炉内の温度変化を抑制することができるので、焼却炉へ供給された廃棄物が確実に完全燃焼し、例えばダイオキシンや一酸化炭素などの有毒ガスの発生を抑えて公害や環境上安全となる。加えて、巻き付いた廃棄物が解砕機１１から除去されるので、人力による巻き付いた廃棄物の除去作業が無くなり、作業員の負荷の低減、除去作業による長時間のガス化溶融炉の運転停止が回避できる。その結果として、運転停止に伴うガス化溶融炉の保温のための助燃がいらなくなるので、ガス化溶融炉のランニングコストも低減される。
【００４９】
また、解砕機１１の逆回転Ｙの回転速度は、正回転Ｘの回転速度に等しい回転速度であるため、解砕機１１に過度の負荷をかけることがなく、しかも回転速度の設定が容易になる。
【００５０】
更に、解砕機１１を逆回転Ｙするに際し、搬送機７を停止させた状態としているので、逆回転Ｙ中は、搬送部３から解砕部４に廃棄物が搬送されない。よって、より確実に解砕機１１に巻き付いた廃棄物を除去することができる。
【００５１】
また更に、解砕機１１を逆回転Ｙするに際し、流量調整機１２を解砕機１１に接近させた状態としているため、流量調整機１２にて解砕機１１に巻き付いている廃棄物を掻き採ることができ、より確実に廃棄物の巻き付きを除去することができる。
【００５２】
尚、本実施形態では、解砕機１１が第１胴部１１ａと第２胴部１１ｂとを備える場合について説明したが、これに限られず、例えば第１胴部１１ａのみで構成することもできるし、或いは３つ以上の胴部にて構成することもできる。
【００５３】
更に、本実施形態では、搬送駆動部７３と解砕駆動部１３と流量駆動部１４とがタイマー１５からの第１信号又は第２信号に基づいて各制御または調整を実行する場合について説明したが、これに限られず、例えば作業者が予め決められた時間などにスイッチ等を操作し、その操作に基づいて搬送駆動部７３と解砕駆動部１３と流量駆動部１４とが各制御または調整を実行するようにしても無論よい。
【００５４】
また更に、本実施形態では、解砕駆動部１３が、解砕機１１の正回転Ｘの回転速度と逆回転Ｙの回転速度とが等しい回転速度となるように制御する場合について説明したが、これに限られず、解砕駆動部１３は、解砕機１１の逆回転Ｙの回転速度が正回転Ｘの回転速度よりも速い回転速度となるように制御する場合であってもよい。例えば、解砕駆動部１３は、逆回転Ｙが９０ｒｐｍで正回転Ｘが７５ｒｐｍとなるように、解砕機１１の回転を制御するように構成することができる。このようにすると、解砕機１１が逆回転Ｙすることによって、解砕機１１に巻き付いた廃棄物により大きな遠心力が作用するため巻き付きがほどけ易くなる。
【００５５】
更に、本実施形態では、搬送機７の回転を停止した状態で解砕機１１が逆回転Ｙする場合について説明したが、これに限られず、搬送機７を回転させた状態で解砕機１１を逆回転Ｙさせることも可能である。
【００５６】
また更に、本実施形態では、流量調整機１２を解砕機１１に接近させた状態で解砕機１１が逆回転Ｙする場合について説明したが、これに限られず、流量調整機１２を解砕機１１から離間させた状態で解砕機１１を逆回転Ｙさせることも可能である。
【００５７】
また、本実施形態では、流量調整機１２を解砕軸線Ｃ４と略平行に配置される流量軸線Ｃ５回りで回動自在である場合について説明したが、これに限られず、流量調整機１２はＣ５回りで回動自在でなく固定とされ、解砕機１１に廃棄物が巻き付かないように配置されたものであってもよい。
【００５８】
また更に、本実施形態では、分散投入部２がある廃棄物供給装置の場合について説明をしたが、これに限らず、分散投入部２がない廃棄物供給装置であってもよい。
【００５９】
更に、本実施形態では、焼却炉としてガス化溶融炉の場合について説明したが、これに限らず、その他の焼却炉についても適用が可能である。
【図面の簡単な説明】
【００６０】
【図１】本発明に係る廃棄物供給装置としての給じん装置の一実施形態を示す正面図。
【図２】同給じん装置の回転体としての解砕機を示す斜視図。
【符号の説明】
【００６１】
１…給じん装置、２…分散投入部、３…搬送部、４…解砕部、５…積載部、６…分散板、７…搬送機、８…分散投入量調整部、９…圧密防止部、１０…圧密防止機、１１…解砕機、１１ａ…第１胴部、１１ｂ…第２胴部、１２…流量調整機、１３…解砕駆動部、１４…流量駆動部、１５…タイマー、５１…底部開口（分散投入口）、５２…頂部開口、７３…搬送駆動部、８１…計測器、８２…制御部、１１１…突設部、１１２…仕切り部、８２１…判定部、８２２…分散調整部、Ｃ１…分散軸線、Ｃ２…搬送軸線、Ｃ３…圧密軸線、Ｃ４…解砕軸線、Ｃ５…流量軸線、Ｘ…正回転、Ｙ…逆回転
【図１】
2008241221.tif 000003
【図２】
2008241221.tif 000004